(57)【要約】    【課題】  上刃の下縁と下刃の上縁を中高の弧状に湾曲した爪切りにおいて、爪の切断時の変形が多くなる倒立姿勢では使用不可能にする。    【解決手段】  二又状の弾性板１、２に支軸５を貫通し、支軸下端６を下側弾性板２に止め、支軸上端に操作レバー８を連結し、操作レバー８を弾性板２側に押すと、上刃３と下刃４が近づく爪切りにおいて、上刃３の下縁と下刃４の上縁は、正面形状を中高の弧状にした。両弾性板１、２の間に阻止片２１、２２を配置し、阻止片の取付部２２を支軸５に取り付け、阻止片の可動部２１を上下に移動可能にした。正立姿勢時には、可動部２１は、下側弾性板２側に落下していて上刃３に当らず、阻止片は、上刃３が下刃４に近づくのを阻止しない。倒立姿勢時には、可動部２１は、上側弾性板１側に落下していて、下刃４に近づく上刃３に当り、阻止片は、上刃３が下刃４に近づくのを阻止する。【選択図】  図１
2005110979.tif 000002
【特許請求の範囲】
【請求項１】
２枚の弾性板を向い合せに上下に配置し、上下の両弾性板の後端を接合して両弾性板を二又状に構成し、上側弾性板の前端を下側に折り曲げて上刃に形成し、下側弾性板の前端を上側に折り曲げて下刃に形成し、上刃と下刃との間に、指の爪の前縁を挿入する隙間を設け、
二又状の両弾性板に支軸を上下方向に貫通し、支軸の下端を下側弾性板に止めて支軸の上方への抜け止めを施し、支軸の上端を上側弾性板の上に突出し、支軸の上端に操作レバーの前端を回転可能に連結し、
操作レバーの前端片面側の支点用凸部を上側弾性板に当て、操作レバーを上側弾性板の上に配置し、操作レバーの後端を弾性板側に押し下げると、上刃と下刃が近づき、上刃の下縁と下刃の上縁が重なり合う爪切りにおいて、
上刃の下縁と下刃の上縁は、正面形状を中高の弧状にした爪切りであって、
上下の両弾性板の間に、可動部と取付部を前後に形成した阻止片を配置し、阻止片の取付部を支軸に取り付け、阻止片の可動部を両弾性板の間で上下に移動可能にし、
上刃と下刃を上下に配置した正立姿勢時には、阻止片の可動部は、下側弾性板側に落下していて下刃の後側に位置し、下刃に近づく上刃に当らず、阻止片は、上刃が下刃に近づくのを阻止しない構成にし、
上刃と下刃を上下逆に配置した倒立姿勢時には、阻止片の可動部は、上側弾性板側に落下していて上刃の後側に位置し、下刃に近づく上刃に当り、阻止片は、上刃が下刃に近づくのを阻止する構成にしたことを特徴とする爪切り。
【請求項２】
阻止片は、可動部が円弧状片又はコの字状片であり、取付部がピンであり、円弧状片又はコの字状片の左右の後端にピンが連結しており、ピンを支軸の直径位置に取り付け、円弧状片又はコの字状片をピンの周りに回転可能にし、
倒立姿勢時には、阻止片の可動部は、前端が上側弾性板上に載って前下りになり、可動部の前端が下刃に近づく上刃の後面に当る構成にしたことを特徴とする請求項１に記載の爪切り。
【請求項３】
上刃と下刃は、平面形状を凹弧状に湾曲したことを特徴とする請求項１又は２に記載の爪切り。
【発明の詳細な説明】
【技術分野】
【０００１】
本発明は、手や足の指の爪を切る爪切りに関する。
【背景技術】
【０００２】
典型的な爪切りは、２枚の短冊形状の弾性板を向い合せに上下に配置し、上下の両弾性板の後端を重ねて接合し、両弾性板の前端を離して、両弾性板を二又状に構成している。上側の弾性板は、前端を下側に折り曲げて上刃に形成している。下側の弾性板は、前端を上側に折り曲げて下刃に形成している。上刃と下刃との間には、指の爪の前縁を挿入する隙間を設けている。
【０００３】
二又状の両弾性板は、前端の上刃と下刃に近い位置に支軸を下から上に貫通し、支軸を回転可能に設けている。支軸の下端は、大径にし、その大径部を下側弾性板の下面に当てて止め、支軸の上方への抜け止めを施している。支軸の上端は、上側弾性板の上に突出し、その直径位置に貫通したピンで操作レバーの前端を回転可能に連結している。操作レバーは、前端の片面側に突出した支点用凸部を上側弾性板の上面に当て、上側弾性板の上に後上りの斜めに配置している。
【０００４】
上刃と下刃との間に指の爪の前縁を挿入して、操作レバーの後端を弾性板側に押し下げると、上下の弾性板が撓んで上刃と下刃が近づき、爪の前縁が上刃と下刃とに挟まれて切断される。上刃の下縁と下刃の上縁は、重なり合う。操作レバーの後端を弾性板側に保持する力がなくなると、上下の弾性板がそれらの弾性力で復元し、操作レバーが復元し、上刃と下刃が離れてそれらの間に隙間が復元する。
【０００５】
人の手や足の指の爪は、手や足の甲ないし表を上にして、上から見下ろすと、爪の前縁は、中央が左右端より前に位置し、平面形状が凸弧状である。そこで、爪切りにおいては、左右方向に長い上刃と下刃は、それぞれ、中央を左右端より凹め、平面形状を凹弧状に湾曲している。１回の操作で切断する爪前縁の長さ、爪の切断長さが長くなる。
【０００６】
その上、人の手や足の指の爪は、手や足の甲ないし表を上にして、前縁側から後縁側、根元側へ見ると、爪の前縁は、中央が左右端より上に位置し、正面形状が中高の凸弧状である。そこで、次の特許文献に開示されているような爪切りが発明された。この爪切りは、従来品では、上刃の下縁と下刃の上縁の正面形状が水平線、横直線である点を変更している。上刃の下縁と下刃の上縁は、それぞれ、中央を左右端より上に配置し、それらの正面形状を中高の弧状に湾曲している。上刃の下縁は中高の凹弧状に、下刃の上縁は中高の凸弧状にしている。爪の前縁が上刃と下刃とに挟まれて切断される際、爪の前縁が、その正面形状が横直線になる方向、中高湾曲方向と逆方向に変形される量が少なくなる。爪の切断時の変形による爪の割れや指の痛みが減る。
【０００７】
【特許文献１】特開平１０−８５０３２号公報
【特許文献２】特開平１０−２７６８３３号公報
【特許文献３】登録実用新案第３０７８３２４号公報
【発明の開示】
【発明が解決しようとする課題】
【０００８】
上記の特許文献に開示されているような、上刃の下縁と下刃の上縁を中高の弧状にした爪切りは、上刃を上側に、下刃を下側に配置した正立姿勢で使用することを予定している。上刃と下刃を上下に配置した正立姿勢で使用すると、爪の切断時に、爪がその湾曲方向と逆方向に変形される量が少なくなる。
【０００９】
ところが、その爪切りは、上刃と下刃を上下逆に配置した倒立姿勢で使用すると、手や足の甲ないし表を下向きにして指の爪を裏返し状態にしない限り、爪の切断時に、爪がその湾曲方向と逆方向に変形される量が多くなる。上刃の下縁と下刃の上縁の正面形状が横直線である従来品よりも、爪の切断時の変形が多くなって、その変形による爪の割れや指の痛みがひどくなる。
【００１０】
そこで、上刃の下縁と下刃の上縁を中高の弧状にした爪切りにおいて、正立姿勢では使用可能であるが、倒立姿勢では使用不可能にすることにした。
【課題を解決するための手段】
【００１１】
１）２枚の弾性板を向い合せに上下に配置し、上下の両弾性板の後端を接合して両弾性板を二又状に構成し、上側弾性板の前端を下側に折り曲げて上刃に形成し、下側弾性板の前端を上側に折り曲げて下刃に形成し、上刃と下刃との間に、指の爪の前縁を挿入する隙間を設け、
二又状の両弾性板に支軸を上下方向に貫通し、支軸の下端を下側弾性板に止めて支軸の上方への抜け止めを施し、支軸の上端を上側弾性板の上に突出し、支軸の上端に操作レバーの前端を回転可能に連結し、
操作レバーの前端片面側の支点用凸部を上側弾性板に当て、操作レバーを上側弾性板の上に配置し、操作レバーの後端を弾性板側に押し下げると、上刃と下刃が近づき、上刃の下縁と下刃の上縁が重なり合う爪切りにおいて、
上刃の下縁と下刃の上縁は、正面形状を中高の弧状にした爪切りであって、
上下の両弾性板の間に、可動部と取付部を前後に形成した阻止片を配置し、阻止片の取付部を支軸に取り付け、阻止片の可動部を両弾性板の間で上下に移動可能にし、
上刃と下刃を上下に配置した正立姿勢時には、阻止片の可動部は、下側弾性板側に落下していて下刃の後側に位置し、下刃に近づく上刃に当らず、阻止片は、上刃が下刃に近づくのを阻止しない構成にし、
上刃と下刃を上下逆に配置した倒立姿勢時には、阻止片の可動部は、上側弾性板側に落下していて上刃の後側に位置し、下刃に近づく上刃に当り、阻止片は、上刃が下刃に近づくのを阻止する構成にしたことを特徴とする。
【００１２】
２）上記の爪切りにおいて、
阻止片は、可動部が円弧状片又はコの字状片であり、取付部がピンであり、円弧状片又はコの字状片の左右の後端にピンが連結しており、ピンを支軸の直径位置に取り付け、円弧状片又はコの字状片をピンの周りに回転可能にし、
倒立姿勢時には、阻止片の可動部は、前端が上側弾性板上に載って前下りになり、可動部の前端が下刃に近づく上刃の後面に当る構成にしたことを特徴とする。
【００１３】
３）上記の爪切りにおいて、
上刃と下刃は、平面形状を凹弧状に湾曲したことを特徴とする。
【発明の効果】
【００１４】
爪切りの正立姿勢時には、阻止片の可動部は、下側弾性板側に落下していて下刃の後側に位置し、下刃に近づく上刃に当らない。阻止片は、上刃が下刃に近づくのを阻止しない。爪を切ることができる。上刃の下縁と下刃の上縁の正面形状が横直線である従来品よりも、爪の切断時の変形が少なくなる。
【００１５】
倒立姿勢時には、阻止片の可動部は、上側弾性板側に落下していて上刃の後側に位置し、下刃に近づく上刃に当る。阻止片は、上刃が下刃に近づくのを阻止する。爪を切ることができない。上刃の下縁と下刃の上縁の正面形状が横直線である従来品よりも、爪の切断時の変形が多くなることが防止される。
【発明を実施するための最良の形態】
【００１６】
［第１例（図１〜図７参照）］
本例の爪切りは、図１〜図４に示すように、２枚の短冊形状の金属板、弾性板１、２を向い合せに上下に配置し、上下の両弾性板１、２の後端を重ねて溶接で接合し、両弾性板１、２の前端を離して、２枚の弾性板１、２を二又状に構成している。
【００１７】
上側の弾性板１は、前端を下側に折り曲げて上刃３に形成している。下側の弾性板２は、前端を上側に折り曲げて下刃４に形成している。上刃３と下刃４との間には、指の爪の前縁を挿入する隙間を設けている。
【００１８】
二又状の両弾性板１、２は、前端の上刃３と下刃４に近い位置に支軸５を下から上に貫通し、支軸５を回転可能に設けている。支軸５の下端は、大径にし、その大径部６を下側弾性板２の下面に当てて止め、支軸５の上方への抜け止めを施している。支軸５の上端は、上側弾性板１の上に突出し、その直径位置に貫通したピン７で操作レバー８の前端を回転可能に連結している。操作レバー８は、前端の片面側に突出した支点用凸部９を上側弾性板１の上面に当て、上側弾性板１の上に後上りの斜めに配置している。操作レバー８の上面には、やすり１０を形成している。
【００１９】
上刃３と下刃４は、それぞれ、左右方向に長く、図２の平面図に示すように、中央を左右端より凹め、平面形状を凹弧状に湾曲している。また、上刃３の下縁と下刃４の上縁は、図３の正面図に示すように、それぞれ、中央を左右端より上に配置し、それらの正面形状を中高の弧状に湾曲している。上刃３の下縁は中高の凹弧状に、下刃の上縁４は中高の凸弧状にしている。
【００２０】
上下の両弾性板１、２の間には、図１〜図４に示すように、可動部２１と取付部２２を前後に形成した阻止片を配置している。阻止片の取付部２２は、ピンである。このピン２２は、支軸５の直径位置に貫通し、両弾性板１、２の間に位置する支軸５の中央部に回転可能に取り付けている。阻止片の可動部２１は、円弧状の金属片である。この円弧状金属片２１は、支軸５の前半部に隙間を設けて嵌合し、左右の後端を、支軸５の左右に突出したピン２２の両端に連結している。円弧状金属片２１は、ピン２２の周りに回転可能であり、両弾性板１、２の間で上下に移動可能である。
【００２１】
本例の爪切りにおいては、上刃３と下刃４を上下に配置した正立姿勢時には、図１に示すように、阻止片の可動部２１は、下側弾性板２側に落下していて前下りになり、下刃４の後側に位置する。操作レバー８の後端を弾性板１、２側に押し下げると、図５に示すように、上下の弾性板１、２が撓んで上刃３と下刃４が近づき、上刃３の下縁と下刃４の上縁が重なり合う。阻止片の可動部２１は、下刃４に近づく上刃３に当らない。阻止片２１、２２は、上刃３が下刃４に近づくのを阻止しない。
【００２２】
従って、本例の爪切りは、正立姿勢時には、爪を切ることができる。爪の切断時の変形が少なく、快適に使用可能である。
【００２３】
一方、上刃３と下刃４を上下逆に配置した倒立姿勢時には、図６に示すように、阻止片の可動部２１は、上側弾性板１側に落下していて前下りになり、上刃３の後側に位置する。可動部２１の前端が上側弾性板１上の上刃３後側位置に載る。操作レバー８の後端を弾性板１、２側に押し上げると、図７に示すように、上側弾性板１は、可動部２１の前端が載った上刃３後側位置、前部が支軸５に対して上昇し、上側弾性板１の前部が可動部２１の前端を持ち上げる。可動部２１は、前下りの角度が緩くなり、前端が上刃３側に前進する。操作レバー８の後端を弾性板１、２側に押す切断操作の途中で、可動部２１の前端は、下刃４に近づく上刃３の後面に当る。可動部２１は、前下りの姿勢で、その前端が上側弾性板１と上刃３との入隅部に嵌る。阻止片２１、２２は、上側弾性板１の前部が支軸５に対して上昇するのを中止させ、上刃３が下刃４に近づくのを阻止する。
【００２４】
従って、本例の爪切りは、倒立姿勢時には、爪を切ることができない。使用不可能である。爪が大きく変形して切断されることが防止される。
【００２５】
［第２例（図８と図９参照）］
本例の爪切りは、第１例における阻止片２１、２２の構造を少し変更した。本例における阻止片３１、３２は、図８と図９に示すように、針金を変形して可動部３１と取付部３２を一体連続構造に構成している。構造が簡単で、製作が容易である。
【００２６】
可動部３１は、１本の針金の中央部を円弧状に湾曲して、第１例における円弧状金属片２１と同様な円弧状金属片に形成している。取付部３２は、その針金の両端を内側にほぼ直角に折り曲げて、２本の向い合ったピンに形成している。円弧状金属片３１の左右の後端には、２本の向い合ったピン３２が連続して連結している。
【００２７】
阻止片の可動部３１、円弧状金属片３１は、支軸５の前半部に隙間を設けて嵌合している。阻止片の取付部３２、２本の向い合ったピン３２は、支軸５の直径位置を挟んで支軸５に軸受し、支軸５に回転可能に取り付けている。円弧状金属片３１は、ピン３２の周りに回転可能であり、両弾性板１、２の間で上下に移動可能である。
その他の点は、第１例におけるのと同様である。
【００２８】
［変形例］
実施形態の第１例と第２例においては、阻止片の可動部２１、３１は、後側が開放した円弧状片であるが、後側が開放したコの字状片にする。
【図面の簡単な説明】
【００２９】
【図１】本発明の実施形態の第１例における爪切りの側面図。
【図２】同爪切りの平面図。
【図３】同爪切りの正面図。
【図４】同爪切りの一部縦断正面図。
【図５】同爪切りの操作レバーの押し下げ時、爪の切断終了時の側面図。
【図６】同爪切りの倒立姿勢時の側面図。
【図７】同爪切りの倒立姿勢時に操作レバーの操作途中で切断操作が阻止片で阻止された状態の側面図。
【図８】実施形態の第２例における爪切りの側面図。
【図９】同爪切りの一部縦断正面図。
【符号の説明】
【００３０】
１  上側の弾性板
２  下側の弾性板
３  上刃
４  下刃
５  支軸
６  支軸の下端、大径部
７  ピン
８  操作レバー
９  支点用凸部
１０  やすり
２１、２２  阻止片
２１  可動部、円弧状金属片
２２  取付部、１本のピン
３１、３２  阻止片
３１  可動部、円弧状金属片
３２  取付部、２本のピン
【図１】
2005110979.tif 000003
【図２】
2005110979.tif 000004
【図３】
2005110979.tif 000005
【図４】
2005110979.tif 000006
【図５】
2005110979.tif 000007
【図６】
2005110979.tif 000008
【図７】
2005110979.tif 000009
【図８】
2005110979.tif 000010
【図９】
2005110979.tif 000011